(57)【要約】【課題】本体内のスペースを確保し、ユニットと本体との間の制御処理で求められる即応性にも対応できる電子機器及び画像処理装置を提供する。【解決手段】電子機器は、当該電子機器の本体から引出し可能なユニットが備える検知部と前記本体が備える第１制御部とを接続し、前記ユニットが前記本体から引き出されると接続が切り離されるパラレル通信可能な第１通信経路と、前記検知部と前記ユニットが備える第２制御部とを接続する第２通信経路と、前記第１制御部と前記第２制御部とを接続し、前記ユニットが前記本体から引き出されても接続が切り離されないシリアル通信可能な第３通信経路と、を備える。【選択図】図５
2014206631.tif 000002
【特許請求の範囲】
【請求項１】
電子機器の本体から引出し可能なユニットが備える検知部と前記本体が備える第１制御部とを接続し、前記ユニットが前記本体から引き出されると接続が切り離されるパラレル通信可能な第１通信経路と、
前記検知部と前記ユニットが備える第２制御部とを接続する第２通信経路と、
前記第１制御部と前記第２制御部とを接続し、前記ユニットが前記本体から引き出されても接続が切り離されないシリアル通信可能な第３通信経路と、を備えることを特徴とする電子機器。
【請求項２】
前記検知部は、
紙詰りを検知することを特徴とする請求項１に記載の電子機器。
【請求項３】
前記検知部が前記紙詰りを検知すると、
前記第１通信経路を介した前記第１制御部による前記検知部の監視から、前記第２通信経路を介した前記第２制御部による前記検知部の監視に切り替わることを特徴とする請求項２に記載の電子機器。
【請求項４】
前記検知部が前記紙詰りを検知すると、
前記第１制御部は、
前記第３通信経路を介して、前記第２制御部に対し、前記第２通信経路を介した前記検知部の監視の開始を指示することを特徴とする請求項２に記載の電子機器。
【請求項５】
前記検知部が検知した前記紙詰りが解消されると、
前記第２通信経路を介した前記第２制御部による前記検知部の監視から、前記第１通信経路を介した前記第１制御部による前記検知部の監視に切り替わることを特徴とする請求項２に記載の電子機器。
【請求項６】
前記検知部が検知した前記紙詰りが解消されると、
前記第２制御部は、
前記第３通信経路を介して、前記第１制御部に対し、前記第１通信経路を介した前記検知部の監視の開始を指示することを特徴とする請求項２に記載の電子機器。
【請求項７】
前記第１通信経路は、
パラレル通信可能なドロワコネクタにより、前記検知部と前記第１制御部とが接続された通信経路であることを特徴とする請求項１に記載の電子機器。
【請求項８】
前記第３通信経路は、
シリアル通信可能な束線により、前記第１制御部と前記第２制御部が接続された通信経路であることを特徴とする請求項１に記載の電子機器。
【請求項９】
電子機器の本体から引出し可能なユニットが備える検知部と前記本体が備える第１制御部とを接続し、前記ユニットが前記本体から引き出されると接続が切り離されるパラレル通信可能な第１通信経路と、
前記検知部と前記ユニットが備える第２制御部とを接続する第２通信経路と、
前記第１制御部と前記第２制御部とを接続し、前記ユニットが前記本体から引き出されても接続が切り離されないシリアル通信可能な第３通信経路と、を備えることを特徴とする画像処理装置。
【発明の詳細な説明】
【技術分野】
【０００１】
本発明は、電子機器及び画像処理装置に関する。
【背景技術】
【０００２】
従来から、本体から引出し可能な各ユニットを含んで構成される画像処理装置が知られている。このような画像処理装置では、ユニットと画像処理装置本体とを電気的に接続する方法として、パラレル通信可能な束線やシリアル通信可能な束線で直接接続する方法が採用されている。
【発明の概要】
【発明が解決しようとする課題】
【０００３】
しかしながら、従来の接続方法では、パラレル通信可能な束線を用いた場合、束線の芯線数が多く、束線の占有面積が大きくなり、本体内のスペースを無駄に使ってしまうという問題がある。また、例えば特許文献１に開示されるようにシリアル通信可能な束線を用いる場合には、束線の芯線数が少なく、束線の占有面積が小さくなるが、ユニットと画像処理装置の本体との間の制御処理で求められる即応性に対応できないという問題がある。このように、従来の接続方法は、束線による占有面積の減少と、制御処理の即応性への対応とを両立させるものではなかった。
【０００４】
本発明は、上記に鑑みてなされたものであって、本体内のスペースを確保し、ユニットと本体との間の制御処理で求められる即応性にも対応できる電子機器及び画像処理装置を提供することを目的とする。
【課題を解決するための手段】
【０００５】
上述した課題を解決し、目的を達成するために、本発明に係る電子機器は、当該電子機器の本体から引出し可能なユニットが備える検知部と前記本体が備える第１制御部とを接続し、前記ユニットが前記本体から引き出されると接続が切り離されるパラレル通信可能な第１通信経路と、前記検知部と前記ユニットが備える第２制御部とを接続する第２通信経路と、前記第１制御部と前記第２制御部とを接続し、前記ユニットが前記本体から引き出されても接続が切り離されないシリアル通信可能な第３通信経路と、を備える。
【発明の効果】
【０００６】
本発明によれば、本体内のスペースを確保し、ユニットと本体との間の制御処理で求められる即応性にも対応できるという効果を奏する。
【図面の簡単な説明】
【０００７】
【図１】図１は、第１の実施形態に係る電子機器の構成例を示す図である。
【図２】図２は、第１の実施形態に係るエラー検知の構成例を示す図である。
【図３】図３は、第１の実施形態に係るエラー通知の構成例を示す図である。
【図４】図４は、第１の実施形態に係る引出しユニットと本体との接続構成例を示す図である。
【図５】図５は、第１の実施形態に係る電子機器の機能構成例を示す図である。
【図６】図６は、第１の実施形態に係る制御処理手順例を示すフローチャートである。
【発明を実施するための形態】
【０００８】
以下に、添付図面を参照して、電子機器及び画像処理装置の実施形態を詳細に説明する。
【０００９】
［第１の実施形態］
＜構成＞
《電子機器の構成》
図１は、本実施形態に係る電子機器１００の構成例を示す図である。図１には、電子写真方式の画像形成機能を有する画像処理装置が電子機器１００の一例として示されている。
【００１０】
図１に示すように、本実施形態に係る電子機器（画像処理装置）１００は、本体２０から引出し可能なユニット（以下便宜上「引出しユニット」という）１０を備える。本実施形態に係る引出しユニット１０は、例えば電子写真プロセスにおける転写・定着を行う転写・定着装置１や、用紙を搬送する搬送路を保持するキャリア２などの画像形成機能の一部を実現する部品を備える。キャリア２は、カバー４を備える。また、転写・定着装置１とキャリア２は、本体２０に備えられたレール３により、本体２０に対して前後方向（図中の矢印ＦＲの方向）に可動可能に支持されている。また、カバー４は、取っ手５を備える。これにより、本実施形態に係る電子機器１００では、取っ手５を握って、カバー４を本体２０に対して前方向（図中の矢印Ｆの方向）に可動することで、引出しユニット１０を本体２０から引き出すことができる。なお、図中の矢印Ｆの方向とは、主にユーザが対峙する電子機器１００の手前側の方向に相当し、逆に矢印Ｒの方向とは、電子機器１００の奥側の方向に相当する。
【００１１】
また、本実施形態に係る電子機器１００が備える引出しユニット１０は、上記部品を備えるものに限らない。例えば、用紙を給紙するためのモータや、給紙時のエラーを検知するためのセンサを備える給紙トレイなどであってもよい。
【００１２】
《エラー検知構成》
図２は、本実施形態に係るエラー検知の構成例を示す図である。図２には、紙詰り検知がエラー検知の一例として示されている。
【００１３】
本実施形態に係る引出しユニット１０が備える搬送路Ｂは、主搬送路Ｂ１、反転搬送路Ｂ２、及び排紙路Ｂ３などを含む。例えば用紙の両面に画像を形成する場合（両面印刷する場合）には、次のように用紙が搬送される。用紙は、主搬送路Ｂ１を経て、反転搬送路Ｂ２で表裏が反転され、再度、主搬送路Ｂ１に送られて両面印刷され、排紙路Ｂ３を経て排紙される。
【００１４】
また、本実施形態に係る搬送路Ｂには、搬送経路に沿って、紙詰りを検知する複数のセンサ（検知装置）Ｓ１〜Ｓ１５（以下総称する場合「センサＳ」という）が備えられている。本実施形態に係るセンサＳには、例えば排紙センサ、排紙中継センサ、排紙反転センサ、反転入口センサ、反転出口センサ、両面搬送センサ、両面反転センサ、両面入口センサ、両面出口センサ、本体中継センサ、レジストセンサ、搬送タンク用紙検知センサがある。センサＳは、それぞれで予め決められた時間内（所定の時間内）に、用紙が検知領域（センシング領域）を経過しなかったときに、紙詰り（ジャム）が発生したと判定する（エラーを検知する）。これにより、本実施形態に係る電子機器１００では、紙詰りなどを含む本体内で発生した各種エラーを検知できる。なお、センサＳの数や配置位置、また、搬送路Ｂの種別数や配置位置などは、適宜設定される。
【００１５】
《エラー通知構成》
図３は、本実施形態に係るエラー通知の構成例を示す図である。図３には、紙詰り通知がエラー通知の一例として示されている。
【００１６】
本実施形態に係る引出しユニット１０は、カバー４の周辺に、紙詰りの発生箇所をユーザに通知する複数のＬＥＤ（Light  Emitting  Diode；通知装置）６ａ〜６ｄ（以下総称する場合「ＬＥＤ６」という）を備える。本実施形態に係るＬＥＤ６には、例えば水平搬送ガイド板ＬＥＤ６ａ、排紙上ガイド板ＬＥＤ６ｂ、排紙左ガイド板ＬＥＤ６ｃ、本体引出しＬＥＤ６ｄなどがある。ＬＥＤ６は、センサＳが紙詰りを検知した際に、発生した紙詰りをユーザが取り除くための手順（発生したエラーを解決するための手順）に合わせて、順次点灯する。これにより、本実施形態に係る電子機器１００では、紙詰りなどを含む本体内のエラー発生箇所をユーザに通知できる。なお、ＬＥＤ６の数や配置位置などは、適宜設定される。
【００１７】
《引出しユニット１０と本体２０との接続構成》
図４は、本実施形態に係る引出しユニット１０と本体２０との接続構成例を示す図である。図４（Ａ）には、引出しユニット１０が本体２０に収納されている状態の模式図、図４（Ｂ）には、引出しユニット１０が本体２０から引き出され、本体２０に収納されていない状態の模式図が示されている。
【００１８】
図４（Ａ）に示すように、引出しユニット１０が本体２０から引き出されていない状態では、引出しユニット１０と本体２０とは、ドロワコネクタ９０で接続される。このとき引出しユニット１０と本体２０とは、ドロワコネクタ９０を介してパラレル通信可能である。一方、図４（Ｂ）に示すように、引出しユニット１０が本体２０から引き出された状態では、ドロワコネクタ９０による接続が切り離され（切断され）、引出しユニット１０と本体２０とは、束線８０で接続される。このとき引出しユニット１０と本体２０とは、シリアル通信可能である。
【００１９】
このように、本実施形態に係る電子機器１００では、例えばエラー発生時に、引出しユニット１０が本体２０から引き出された場合でも、引出しユニット１０と本体２０との電気的な接続が維持される構成となっている。
【００２０】
また、本実施形態に係る引出しユニット１０は、例えばＣＰＵ（Central  Processing  Unit）などの制御装置を備えた引出しユニット側制御基板１１を備える。本実施形態に係る引出しユニット側制御基板１１は、束線（シリアル通信束線）８０を介して、本体２０が備えるコネクタＣと接続される。また、引出しユニット側制御基板１１は、引出しユニット１０が本体２０から引出された状態時に、エラーを検知するセンサＳやエラー発生箇所を通知するＬＥＤ６などを制御する。
【００２１】
これにより、本実施形態に係る電子機器１００では、例えばエラー発生時に、引出しユニット１０が本体２０から引き出された状態であっても、束線８０を介して、センサＳの検知情報（検知結果）を本体２０の制御装置（ＣＰＵ）に送信することができる。また、本実施形態に係る電子機器１００では、引出しユニット１０のエラー発生箇所をＬＥＤ６の点灯により通知することができる。
【００２２】
＜機能＞
本実施形態に係る電子機器１００が有する制御機能について説明する。本実施形態に係る電子機器１００は、３つの通信経路を備える。具体的には、引出しユニット１０が備えるセンサＳと電子機器１００の本体が備える制御装置とを接続し、引出しユニット１０が本体２０から引き出されると接続が切り離される（切断される）パラレル通信可能なドロワコネクタ９０による第１通信経路である。また、引出しユニット１０が備えるセンサＳと引出しユニット１０が備える制御装置とを接続する通信可能な第２通信経路である。また、電子機器１００の本体が備える制御装置と引出しユニット１０が備える制御装置とを接続し、引出しユニット１０が本体２０から引き出されても接続が切り離されない（切断されない）シリアル通信可能な束線８０による第３通信経路である。本実施形態に係る電子機器１００は、このような通信経路により、次のような制御を行う。引出しユニット１０が本体２０に収納されている状態では、第１通信経路により、引出しユニット１０と本体２０との間でパラレル通信を行い、センサＳの監視（センサ制御）を、電子機器１００が備える制御装置が行う。一方、引出しユニット１０が本体２０から引き出され、本体２０に収納されていない状態では、第２通信経路により、引出しユニット１０とセンサＳとの間で通信を行う。また、第３通信経路により、引出しユニット１０と本体２０との間でシリアル通信を行い、センサＳの監視を、引出しユニット１０が備える制御装置が行う。本実施形態に係る電子機器１００は、このような制御機能を有している。
【００２３】
従来の接続方法は、引出しユニット１０と本体２０とを接続する束線８０の本体内における占有面積の減少と、引出しユニット１０と本体２０との間で行うエラー検知や通知などの制御処理の即応性への対応とを両立させるものではなかった。
【００２４】
そこで、本実施形態に係る電子機器１００では、引出しユニット１０が本体２０に収納されている状態の場合、パラレル通信により本体側でセンサ制御を行う仕組みとした。一方、本実施形態に係る電子機器１００では、引出しユニット１０が本体２０に収納されていない状態の場合、シリアル通信により引出しユニット側でセンサ制御を行う仕組みとした。
【００２５】
これにより、本実施形態に係る電子機器１００は、電子機器１００でエラーを検知すると、第１通信経路によるセンサ制御から第２通信経路によるセンサ制御へ切り替わる環境を提供する。その結果、本実施形態に係る電子機器１００は、芯線数が少ない束線８０によるシリアル通信をセンサ制御の通信に用いることで、本体内のスペースを確保することができる。また、本実施形態に係る電子機器１００は、ドロワコネクタ９０によるパラレル通信をセンサ制御の通信に用いることで、引出しユニット１０と本体２０との間の制御処理で求められる即応性にも対応できる。
【００２６】
以下に、本実施形態に係る電子機器１００が有する制御機能を実現する構成とその動作について説明する。図５は、本実施形態に係る電子機器１００が有する制御機能を実現する構成例を示す図である。
【００２７】
図５に示すように、本実施形態に係る電子機器１００は、電子機器１００の本体２０で実現される機能と、引出しユニット１０で実現される機能とを有する。
【００２８】
《電子機器１００の本体２０が有する機能》
本実施形態に係る電子機器１００の本体２０は、本体側ＣＰＵ（第１制御部）２１１を備える本体側制御基板２１などを備える。本体側ＣＰＵ２１１は、電子機器１００が備える制御装置に相当する。
【００２９】
本実施形態に係る本体側制御基板２１は、パラレル通信可能な第１通信経路（第１通信手段）Ｎ１を介して、引出しユニット１０が備えるセンサＳと接続される。本実施形態に係る第１通信経路Ｎ１は、引出しユニット１０が本体２０から引き出されると接続が切り離される（切断される）ドロワコネクタ（接続部）９０による通信経路である。本実施形態に係る本体側ＣＰＵ２１１は、引出しユニット１０が本体２０に収納されている状態のときに、第１通信経路Ｎ１を介して、引出しユニット１０が備えるセンサＳから送信されたエラーの検知情報などを受信する。つまり、引出しユニット１０が本体２０に収納されている状態では、エラーの検知情報や解除情報などの処理を含むエラー検知や通知などのセンサ制御（センサＳの監視）を、本体側ＣＰＵ２１１が行う。
【００３０】
また、本実施形態に係る本体側制御基板２１は、シリアル通信可能な第３通信経路（第３通信手段）Ｎ３を介して、引出しユニット側制御基板１１と接続される。本実施形態に係る第３通信経路Ｎ３は、引出しユニット１０が本体２０から引き出されても接続が切り離されない（切断されない）束線８０による通信経路である。本実施形態に係る本体側ＣＰＵ２１１は、引出しユニット１０が本体２０から引き出され、本体２０に収納されていない状態のときに、第３通信経路Ｎ３を介して、引出しユニット側制御基板１１から送信されたエラーの解除情報などを受信する。
【００３１】
《引出しユニット１０が有する機能》
本実施形態に係る引出しユニット１０は、引出しユニット側ＣＰＵ（第２制御部）１１１とシリアル通信装置（通信部）１１２を備える引出しユニット側制御基板１１、ＬＥＤ（通知部）６、及びセンサ（検知部）Ｓなどを備える。本実施形態に係る引出しユニット側ＣＰＵ１１１は、引出しユニット１０が備える制御装置に相当する。また、シリアル通信装置１１２は、引出しユニット側ＣＰＵ１１１と本体側ＣＰＵ２１１との間でシリアル通信を行うための通信装置に相当する。また、本実施形態に係るＬＥＤ６は、紙詰りなどのエラー発生箇所をユーザに通知する通知装置に相当し、本実施形態に係るセンサＳは、エラーを検知する検知装置に相当する。
【００３２】
本実施形態に係る引出しユニット側制御基板１１は、第２通信経路（第２通信手段）Ｎ２を介して、ＬＥＤ６及びセンサＳと接続される。本実施形態に係る第２通信経路Ｎ２は、束線による通信経路である。なお、第２通信経路Ｎ２は、パラレル通信又はシリアル通信のいずれかの方式を用いて通信可能な通信経路である。また、本実施形態では、第２通信経路Ｎ２を束線により実現する例を示しているが、この限りでない。第２通信経路Ｎ２は、束線でなくてもよい。本実施形態に係る引出しユニット側ＣＰＵ１１１は、引出しユニット１０が本体２０から引出された状態のときに、センサＳやＬＥＤ６などを制御する。つまり、引出しユニット１０が本体２０から引き出され、本体２０に収納されていない状態では、エラーの検知情報や解除情報などの処理を含むエラー検知や通知などの制御（センサＳの監視）を、引出しユニット側ＣＰＵ１１１が行う。このとき引出しユニット側ＣＰＵ１１１は、エラーの検知情報や解除情報を処理し、処理した情報をシリアル通信装置１１２に転送する。その結果、本実施形態に係るシリアル通信装置１１２は、第３通信経路Ｎ３を介して、処理した情報を本体側ＣＰＵ２１１に送信する。また、引出しユニット側ＣＰＵ１１１は、エラーの検知情報や解除情報に基づき、エラー発生箇所に該当するＬＥＤ６の点灯／消灯を制御する。
【００３３】
《電子機器１００の制御動作》
以下に、本実施形態に係る電子機器１００が有する制御機能の動作（各機能部の連携動作）について、フローチャートを用いて説明する。
【００３４】
図６は、本実施形態に係る制御処理手順例を示すフローチャートである。図６（Ａ）には、本体側ＣＰＵ２１１で実行される制御処理例が示されている。また、図６（Ｂ）には、引出しユニット側ＣＰＵ１１１で実行される制御処理例が示されている。図６に示すように、本実施形態に係る電子機器１００では、本体側ＣＰＵ２１１と引出しユニット側ＣＰＵ１１１との間で、通信経路を介したセンサ制御の同期処理が実行される。
【００３５】
まず、本体側ＣＰＵ２１１が制御を開始する（ステップＳ１）。このときの引出しユニット１０の収納状態は、本体２０に収納されている状態である。
【００３６】
次に本体側ＣＰＵ２１１は、両面搬送センサに該当するセンサＳの検知結果を監視する（ステップＳ２）。このとき本体側ＣＰＵ２１１は、ドロワコネクタ９０によるパラレル通信可能な第１通信経路Ｎ１を介して、センサＳの検知結果を監視する。
【００３７】
次に本体側ＣＰＵ２１１は、検知結果に基づき、紙詰りが検知されたか否かを判定する（ステップＳ３）。このとき本体側ＣＰＵ２１１は、紙詰りが検知されない間（ステップＳ３：ＮＯ）、ステップＳ２の処理に戻り、検知結果の監視を継続する。
【００３８】
その結果、本体側ＣＰＵ２１１は、紙詰りが検知された場合（ステップＳ３：ＹＥＳ）、制御処理を引出しユニット側ＣＰＵ１１１に移行する。このとき本体側ＣＰＵ２１１は、第３通信経路Ｎ３を介して、引出しユニット１０のシリアル通信装置１１２へ制御開始命令（センサＳの監視の開始指示命令）を送信する。これにより、引出しユニット側ＣＰＵ１１１には、シリアル通信装置１１２から制御開始命令が転送され、センサＳの監視の開始指示を受け付ける。
【００３９】
これにより、本実施形態に係る電子機器１００は、紙詰りが検知されると、紙詰りを解消するために、引出しユニット１０が本体２０から引き出されることから、本体側ＣＰＵ２１１から引出しユニット側ＣＰＵ１１１に移行される。
【００４０】
これを受けて引出しユニット側ＣＰＵ１１１は、制御を開始する（ステップＳ４）。
【００４１】
次に引出しユニット側ＣＰＵ１１１は、両面搬送センサに該当するセンサＳの検知結果を監視する（ステップＳ５）。このとき引出しユニット側ＣＰＵ１１１は、第２通信経路Ｎ２を介して、センサＳの検知結果を監視する。このように、本実施形態に係る電子機器１００では、紙詰りが検知されると、第１通信経路Ｎ１によるセンサＳの監視から第２通信経路Ｎ２によるセンサＳの監視へ切り替わる。
【００４２】
次に引出しユニット側ＣＰＵ１１１は、本体引出しＬＥＤ６ｄを点灯する（ステップＳ６）。このとき引出しユニット側ＣＰＵ１１１は、第２通信経路Ｎ２を介して、本体引出しＬＥＤ６ｄへ点灯命令を送信する。このように、電子機器１００では、該当するＬＥＤ６を点灯させることで、紙詰りの発生をユーザに通知する。
【００４３】
次に引出しユニット側ＣＰＵ１１１は、引出しユニット１０が本体２０から引き出されたか否かを判定する（ステップＳ７）。このとき引出しユニット側ＣＰＵ１１１は、引出しユニット側と本体側とのドロワコネクタ９０の接続が切り離されたか（切断されたか）否かの判定結果に基づき、引出しユニット１０が本体２０から引き出されたか否かを判定する。引出しユニット側ＣＰＵ１１１は、引出しユニット１０が本体２０から引き出されていない間（引出しユニット１０が本体２０に収納されている間；ステップＳ７：ＮＯ）、ステップＳ７の処理を繰り返し、引出しユニット１０の収納状態変化の監視を継続する。
【００４４】
その結果、引出しユニット側ＣＰＵ１１１は、引出しユニット１０が本体２０から引き出された場合（ステップＳ７：ＹＥＳ）、本体引出しＬＥＤ６ｄを消灯し（ステップＳ８）、水平搬送ガイド板ＬＥＤ６ａを点灯する（ステップＳ９）。このとき引出しユニット側ＣＰＵ１１１は、第２通信経路Ｎ２を介して、本体引出しＬＥＤ６ｄへ消灯命令を送信し、水平搬送ガイド板ＬＥＤ６ａへ点灯命令を送信する。このように、電子機器１００では、紙詰りを解消するための手順に従って、該当するＬＥＤ６を点灯させることで、紙詰り発生箇所をユーザに通知する。
【００４５】
次に引出しユニット側ＣＰＵ１１１は、発生した紙詰りが解消されたか否かを判定する（ステップＳ１０）。このとき引出しユニット側ＣＰＵ１１１は、第２通信経路Ｎ２を介して、センサＳから受信した検知結果に基づき、発生した紙詰りが解消されたか否かを判定する。引出しユニット側ＣＰＵ１１１は、発生した紙詰りが解消されていない間（ステップＳ１０：ＮＯ）、ステップＳ１０の処理を繰り返し、紙詰りの解消状態変化の監視を継続する。
【００４６】
その結果、引出しユニット側ＣＰＵ１１１は、発生した紙詰りが解消された場合（ステップＳ１０：ＹＥＳ）、水平搬送ガイド板ＬＥＤ６ａを消灯する（ステップＳ１１）。このとき引出しユニット側ＣＰＵ１１１は、第２通信経路Ｎ２を介して、水平搬送ガイド板ＬＥＤ６ａへ消灯命令を送信する。このように、電子機器１００では、紙詰り発生箇所に該当するＬＥＤ６を消灯させることで、発生した紙詰りが解消された旨をユーザに通知する。
【００４７】
なお、このとき引出しユニット側ＣＰＵ１１１は、紙詰りの解除情報を処理し、シリアル通信装置１１２に転送する。これにより、本体側ＣＰＵ２１１には、第３通信経路Ｎ３を介して、シリアル通信装置１１２から処理した情報が送信され、紙詰りが解消された旨の通知を受け付ける。このときの受信データは、例えば電子機器１００が備える表示装置（非図示）の表示内容に反映される。
【００４８】
次に引出しユニット側ＣＰＵ１１１は、引出しユニット１０が本体２０に収納されたか否かを判定する（ステップＳ１２）。このとき引出しユニット側ＣＰＵ１１１は、引出しユニット側と本体側とのドロワコネクタ９０が接続されたか否かの判定結果に基づき、引出しユニット１０が本体２０に収納されたか否かを判定する。引出しユニット側ＣＰＵ１１１は、引出しユニット１０が本体２０に収納されていない間（引出しユニット１０が本体２０から引き出された状態の間；ステップＳ１２：ＮＯ）、ステップＳ１２の処理を繰り返し、引出しユニット１０の収納状態変化の監視を継続する。
【００４９】
その結果、引出しユニット側ＣＰＵ１１１は、引出しユニット１０が本体２０に収納された場合（ステップＳ１２：ＹＥＳ）、要求された画像処理が実行可能か否かを判定する（ステップＳ１３）。このとき引出しユニット側ＣＰＵ１１１は、発生した他のエラーの有無などに基づき、要求された画像処理が実行可能か否かを判定する。引出しユニット側ＣＰＵ１１１は、要求された画像処理が実行可能でない間（ステップＳ１３：ＮＯ）、ステップＳ１３の処理を繰り返し、画像処理の実行可能状態変化の監視を継続する。
【００５０】
その結果、引出しユニット側ＣＰＵ１１１は、要求された画像処理が実行可能な場合（ステップＳ１３：ＹＥＳ）、制御処理を本体側ＣＰＵ２１１に移行する。このとき引出しユニット側ＣＰＵ１１１は、第３通信経路Ｎ３を介して、シリアル通信装置１１２へ制御再開命令（センサＳの監視の開始指示命令）を送信する。これにより、本体側ＣＰＵ２１１には、引出しユニット１０のシリアル通信装置１１２から制御再開命令が転送され、センサＳの監視の開始指示を受け付ける。
【００５１】
これにより、本実施形態に係る電子機器１００は、発生した紙詰りが解消されると、引出しユニット１０が本体２０に収納されることから、引出しユニット側ＣＰＵ１１１から本体側ＣＰＵ２１１に移行される。
【００５２】
これを受けて本体側ＣＰＵ２１１は、再び制御を開始し（ステップＳ１４）、両面搬送センサに該当するセンサＳの検知結果を監視する（ステップＳ１５）。このように、本実施形態に係る電子機器１００では、発生した紙詰りが解消されると、第２通信経路Ｎ２によるセンサＳの監視から第１通信経路Ｎ１によるセンサＳの監視へ切り替わる。
【００５３】
このように、本実施形態に係る電子機器１００では、引出しユニット１０が本体２０に収納されている状態の場合、パラレル通信により本体側でセンサ制御を行う。一方、本実施形態に係る電子機器１００では、引出しユニット１０が本体２０に収納されていない状態の場合、シリアル通信により引出しユニット側でセンサ制御を行う。
【００５４】
＜まとめ＞
以上のように、本実施形態に係る電子機器１００によれば、３つの通信経路を備える。具体的には、引出しユニット１０のセンサＳと電子機器１００の本体側ＣＰＵ２１１とを接続し、引出しユニット１０が本体２０から引き出されると接続が切り離される（切断される）パラレル通信可能なドロワコネクタ９０による第１通信経路Ｎ１である。また、引出しユニット１０のセンサＳと引出しユニット側ＣＰＵ１１１とを接続する通信可能な束線による第２通信経路Ｎ２である。また、電子機器１００の本体側ＣＰＵ２１１と引出しユニット１０の引出しユニット側ＣＰＵ１１１とを接続し、引出しユニット１０が本体２０から引き出されても接続が切り離されない（切断されない）シリアル通信可能な束線８０による第３通信経路Ｎ３である。本実施形態に係る電子機器１００は、このような通信経路により、次のような制御を行う。引出しユニット１０が本体２０に収納されている状態では、第１通信経路Ｎ１により、引出しユニット１０と本体２０との間でパラレル通信を行い、エラー検知や通知などの制御を、電子機器１００の本体側ＣＰＵ２１１が行う。一方、引出しユニット１０が本体２０から引き出され、本体２０に収納されていない状態では、第２通信経路Ｎ２により、引出しユニット１０とセンサＳとの間で通信を行う。また、第３通信経路Ｎ３により、引出しユニット１０と本体２０との間でシリアル通信を行い、エラー検知や通知などの制御を、引出しユニット１０の引出しユニット側ＣＰＵ１１１が行う。
【００５５】
これによって、本実施形態に係る電子機器１００は、電子機器１００に対する引出しユニット１０の収納状態の変化に応じて、パラレル通信によるセンサ制御とシリアル通信によるセンサ制御とが切り替わる環境を提供する。その結果、本実施形態に係る電子機器１００は、芯線数が少ない束線８０によるシリアル通信をセンサ制御の通信に用いることで、本体内のスペースを確保することができる。また、本実施形態に係る電子機器１００は、ドロワコネクタ９０によるパラレル通信をセンサ制御の通信に用いることで、引出しユニット１０と本体２０との間の制御処理で求められる即応性にも対応できる。
【００５６】
なお、上記実施形態では、引出しユニット１０と本体２０との間のパラレル通信可能な接続部に、ドロワコネクタ９０を用いる例を示したが、この限りでない。本実施形態に係る接続部は、引出しユニット１０のセンサＳと電子機器１００の本体側ＣＰＵ２１１とを接続し、引出しユニット１０が本体２０から引き出されると接続が切り離されるパラレル通信可能な接続部品であればよい。
【００５７】
また、本実施形態では、電子機器１００の制御機能を、ハードウェアの実装により実現する方法について説明を行ったが、この限りでない。本実施形態に係る制御機能の一部をソフトウェアの実装により実現してもよい。具体的には、ＣＰＵなどの制御装置において、プログラムが実行され、該当する機能部が他の機能部（ハードウェアの実装により実現された機能）と連携動作することで実現される。
【００５８】
プログラムは、実行環境である制御装置が読み取り可能な記憶媒体に、インストール可能な形式又は実行可能な形式のファイルで記憶され提供される。プログラムは、実現する機能部を含むモジュール構成となっており、制御装置が記憶媒体からプログラムを読み出し実行することで、主記憶装置のＲＡＭ（Random  Access  Memory）上に機能部が生成される。なお、プログラムの提供方法は、この限りでない。例えばプログラムを、インターネットなどに接続された機器に格納し、通信ＩＦ（interface）を介してネットワーク経由でダウンロードする方法であってもよい。また、プログラムの提供方法は、主記憶装置のＲＯＭ（Read  Only  Memory）や補助記憶装置のＨＤＤ（Hard  Disk  Drive）などに予め組み込んで提供する方法であってもよい。
【００５９】
最後に、上記実施形態に挙げた形状や構成に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【符号の説明】
【００６０】
１０    引出しユニット
１１    引出しユニット側制御基板
２０    本体
２１    本体側制御基板
９０    ドロワコネクタ
８０    束線
１００  電子機器
１１１  引出しユニット側ＣＰＵ
１１２  シリアル通信装置
２１１  本体側ＣＰＵ
【先行技術文献】
【特許文献】
【００６１】
【特許文献１】特開２００１−３８９８２号公報
【図１】
2014206631.tif 000003
【図２】
2014206631.tif 000004
【図３】
2014206631.tif 000005
【図４】
2014206631.tif 000006
【図５】
2014206631.tif 000007
【図６】
2014206631.tif 000008